(57)【要約】【課題】情報処理端末のユーザに対して手間をかけずに安否確認を行うことが可能な情報処理端末等を提供する。【解決手段】本発明の一実施形態における情報処理端末は、所定のイベントの発生に基づいて発信された緊急情報を受信する受信部と、緊急情報を受信したことに基づいて、安否確認を行うための安否確認画面であって、安否確認に対して肯定的な回答を行うための第１アイコンと、安否確認に対して否定的な回答を行うための第２アイコンとを含む安否確認画面を表示させる表示処理部と、安否確認画面に基づいてユーザにより入力された安否情報を送信する送信部と、を備え、表示処理部は、所定の条件に基づいて、安否確認画面における第１アイコンと第２アイコンの相対的な大きさを変更する。【選択図】図１
2019008604.tif 000002
【特許請求の範囲】
【請求項１】
所定のイベントの発生に基づいて発信された緊急情報を受信する受信部と、
前記緊急情報を受信したことに基づいて、安否確認を行うための安否確認画面であって、前記安否確認に対して肯定的な回答を行うための第１アイコンと、前記安否確認に対して否定的な回答を行うための第２アイコンとを含む前記安否確認画面を表示させる表示処理部と、
前記安否確認画面に基づいてユーザにより入力された安否情報を送信する送信部と、を備え、
前記表示処理部は、所定の条件に基づいて、前記安否確認画面における前記第１アイコンと前記第２アイコンの相対的な大きさを変更する、情報処理端末。
【請求項２】
前記表示処理部は、前記所定のイベントの発生地点と前記情報処理端末の位置との距離に基づいて、前記安否確認画面における前記第１アイコンと前記第２アイコンの相対的な大きさを変更する
ことを特徴とする請求項１に記載の情報処理端末。
【請求項３】
前記表示処理部は、前記所定のイベントの発生地点と前記情報処理端末の位置との距離が所定値以内であることに基づいて、前記安否確認画面において前記第２のアイコンを前記第１アイコンよりも大きく表示することを特徴とする請求項１又は２に記載の情報処理端末。
【請求項４】
前記情報処理端末の加速度を測定する測定部をさらに備え、
前記表示処理部は、測定された前記加速度に基づいて、前記安否確認画面における前記第１アイコンと前記第２アイコンの相対的な大きさを変更する
ことを特徴とする請求項１乃至３のいずれかに記載の情報処理端末。
【請求項５】
前記情報処理端末の周囲の音を検知する検知部をさらに備え、
前記表示処理部は、検知された前記音に関する情報に基づいて、前記安否確認画面における前記第１アイコンと前記第２アイコンの相対的な大きさを変更する
ことを特徴とする請求項１乃至４のいずれかに記載の情報処理端末。
【請求項６】
前記安否確認を音声により出力し、前記安否確認に対する回答を音声により受け付ける音声入出力部をさらに備え、
前記表示処理部は、前記安否確認画面を表示してからの経過時間に基づいて、前記安否確認画面における前記第１アイコンと前記第２アイコンの相対的な大きさを変更し、
前記音声入出力部は、前記安否確認画面を表示してからの経過時間が所定時間を超えたことに基づいて、前記安否確認を音声により出力し、前記安否確認に対する音声による回答を受け付ける
ことを特徴とする請求項１乃至５のいずれかに記載の情報処理端末。
【請求項７】
前記表示処理部は、前記ユーザにより入力された安否情報が肯定的な回答であることに基づいて、予め登録されたグループ内の他のユーザの安否情報を表示し、前記ユーザにより入力された安否情報が否定的な回答であることに基づいて、救助の要否を確認するための救助要否確認画面を表示する
ことを特徴とする請求項１乃至６のいずれかに記載の情報処理端末。
【請求項８】
情報処理端末における表示方法であって、
所定のイベントの発生に基づいて発信された緊急情報を受信する受信ステップと、
前記緊急情報を受信したことに基づいて、安否確認を行うための安否確認画面であって、前記安否確認に対して肯定的な回答を行うための第１アイコンと、前記安否確認に対して否定的な回答を行うための第２アイコンとを含む前記安否確認画面を表示させる表示処理ステップと、
前記安否確認画面に基づいてユーザにより入力された安否情報を送信する送信ステップと、を含み、
前記表示処理ステップにおいて、所定の条件に基づいて、前記安否確認画面における前記第１アイコンと前記第２アイコンの相対的な大きさを変更する表示方法。
【請求項９】
コンピュータに、
所定のイベントの発生に基づいて発信された緊急情報を受信する受信機能と、
前記緊急情報を受信したことに基づいて、安否確認を行うための安否確認画面であって、前記安否確認に対して肯定的な回答を行うための第１アイコンと、前記安否確認に対して否定的な回答を行うための第２アイコンとを含む前記安否確認画面を表示させる表示処理機能と、
前記安否確認画面に基づいてユーザにより入力された安否情報を送信する送信機能と、を実行させ、
前記表示処理機能において、所定の条件に基づいて、前記安否確認画面における前記第１アイコンと前記第２アイコンの相対的な大きさを変更する表示プログラム。
【発明の詳細な説明】
【技術分野】
【０００１】
本発明は、安否確認を行う情報処理端末、表示方法および表示プログラムに関するものである。
【背景技術】
【０００２】
従来、緊急時に携帯端末のユーザの安否の確認を行うための技術があった。例えば、特許文献１には、緊急地震速報を受信すると、携帯端末装置が、当該携帯端末装置を利用している利用者の識別情報（個人識別情報）と、当該携帯端末装置の位置情報とを、位置安否確認サーバに対して送信することが記載されている。特許文献１に記載の技術において、携帯端末装置は、緊急地震速報を受信した場合に安否情報を入力する画面を表示し、ユーザが当該画面において入力した安否情報を位置安否確認サーバに送信することにより、緊急時に安定した安否の確認を行うことが記載されている。
【先行技術文献】
【特許文献】
【０００３】
【特許文献１】特開２０１６−７６９５２号公報
【発明の概要】
【発明が解決しようとする課題】
【０００４】
ところで、災害が発生した場合など緊急時において、携帯端末のユーザは、避難活動や救助活動を行うために、安否確認に手間をかけることができない場合がある。また、携帯端末のユーザの中には、災害の発生等に混乱してしまい、手間のかかる安否確認を行うことができない可能性もある。
【０００５】
この点、特許文献１に記載の技術では、緊急地震速報を受信すると、安否確認を行うための画面を表示するものの、安否情報を送信するためには、安否情報を選択したうえで、詳細をコメントとして記載し、それらの情報を送信するためのアイコンを選択する操作が必要となり、安否確認に手間がかかるものであった。
【０００６】
そこで、本発明は、上述のような問題に鑑み、ユーザに対して手間をかけずに安否確認を行うことが可能な情報処理端末、表示方法および表示プログラムを提供することを目的とする。
【課題を解決するための手段】
【０００７】
本発明の一実施形態における情報処理端末は、所定のイベントの発生に基づいて発信された緊急情報を受信する受信部と、緊急情報を受信したことに基づいて、安否確認を行うための安否確認画面であって、安否確認に対して肯定的な回答を行うための第１アイコンと、安否確認に対して否定的な回答を行うための第２アイコンとを含む安否確認画面を表示させる表示処理部と、安否確認画面に基づいてユーザにより入力された安否情報を送信する送信部と、を備え、表示処理部は、所定の条件に基づいて、安否確認画面における第１アイコンと第２アイコンの相対的な大きさを変更する。
【０００８】
本発明の一実施形態における情報処理端末は、表示処理部は、所定のイベントの発生地点と情報処理端末の位置との距離に基づいて、安否確認画面における第１アイコンと第２アイコンの相対的な大きさを変更することを特徴としてもよい。
【０００９】
本発明の一実施形態における情報処理端末は、表示処理部は、所定のイベントの発生地点と情報処理端末の位置との距離が所定値以内であることに基づいて、安否確認画面において第２のアイコンを第１アイコンよりも大きく表示することを特徴としてもよい。
【００１０】
本発明の一実施形態における情報処理端末は、情報処理端末の加速度を測定する測定部をさらに備え、示処理部は、測定された加速度に基づいて、安否確認画面における第１アイコンと第２アイコンの相対的な大きさを変更することを特徴としてもよい。
【００１１】
本発明の一実施形態における情報処理端末は、情報処理端末の周囲の音を検知する検知部をさらに備え、表示処理部は、検知された音に関する情報に基づいて、安否確認画面における第１アイコンと第２アイコンの相対的な大きさを変更することを特徴としてもよい。
【００１２】
本発明の一実施形態における情報処理端末は、安否確認を音声により出力し、安否確認に対する回答を音声により受け付ける音声入出力部をさらに備え、表示処理部は、安否確認画面を表示してからの経過時間に基づいて、安否確認画面における第１アイコンと第２アイコンの相対的な大きさを変更し、音声入出力部は、安否確認画面を表示してからの経過時間が所定時間を超えたことに基づいて、安否確認を音声により出力し、安否確認に対する音声による回答を受け付けることを特徴としてもよい。
【００１３】
本発明の一実施形態における情報処理端末は、表示処理部は、ユーザにより入力された安否情報が肯定的な回答であることに基づいて、予め登録されたグループ内の他のユーザの安否情報を表示し、ユーザにより入力された安否情報が否定的な回答であることに基づいて、救助の要否を確認するための救助要否確認画面を表示することを特徴としてもよい。
【００１４】
本発明の一実施形態における情報処理端末における表示方法は、所定のイベントの発生に基づいて発信された緊急情報を受信する受信ステップと、緊急情報を受信したことに基づいて、安否確認を行うための安否確認画面であって、安否確認に対して肯定的な回答を行うための第１アイコンと、安否確認に対して否定的な回答を行うための第２アイコンとを含む安否確認画面を表示させる表示処理ステップと、安否確認画面に基づいてユーザにより入力された安否情報を送信する送信ステップと、を含み、表示処理ステップにおいて、所定の条件に基づいて、安否確認画面における第１アイコンと第２アイコンの相対的な大きさを変更する。
【００１５】
本発明の一実施形態における表示プログラムは、コンピュータに、所定のイベントの発生に基づいて発信された緊急情報を受信する受信機能と、緊急情報を受信したことに基づいて、安否確認を行うための安否確認画面であって、安否確認に対して肯定的な回答を行うための第１アイコンと、安否確認に対して否定的な回答を行うための第２アイコンとを含む安否確認画面を表示させる表示処理機能と、安否確認画面に基づいてユーザにより入力された安否情報を送信する送信機能と、を実行させ、表示処理機能において、所定の条件に基づいて、安否確認画面における第１アイコンと第２アイコンの相対的な大きさを変更する。
【発明の効果】
【００１６】
本発明によれば、所定の条件に基づいて、安否確認に対して肯定的な回答を行うための第１アイコンと、安否確認に対して否定的な回答を行うための第２アイコンとの相対的な大きさを変更するため、情報処理端末のユーザの状況に応じた安否確認画面を表示することができ、当該ユーザが容易に安否確認を実行することが可能となる。そのため、ユーザに対して手間をかけずに安否確認を行うことが可能な情報処理端末、表示方法および表示プログラムを提供できる。
【図面の簡単な説明】
【００１７】
【図１】本発明の一実施形態に係る通信システムの構成例を示す図である。
【図２】本発明の一実施形態に係る情報処理端末のディスプレイなど表示部に表示される表示画面の例である。
【図３】本発明の一実施形態に係る情報処理端末の構成例を示すブロック図である。
【図４】本発明の一実施形態に係る情報処理端末のディスプレイなど表示部に表示される表示画面の他の例である。
【図５】本発明の一実施形態に係る情報処理端末のディスプレイなど表示部に表示される表示画面の他の例である。
【図６】本発明の一実施形態に係る情報処理端末のディスプレイなど表示部に表示される表示画面の他の例である。
【図７】本発明の一実施形態に係る制御装置の構成例を示すブロック図である。
【図８】本発明の一実施形態に係る情報処理端末のディスプレイなど表示部に表示される表示画面の他の例である。
【図９】本発明の一実施形態に係る通信システムの動作例を示すシーケンス図である。
【図１０】本発明の一実施形態に係る情報処理端末の動作例を示すフローチャートである。
【図１１】本発明の一実施形態に係る情報処理端末のディスプレイなど表示部に表示される表示画面の他の例である。
【図１２】本発明の一実施形態に係る情報処理端末のディスプレイなど表示部に表示される表示画面の他の例である。
【図１３】本発明の一実施形態に係る情報処理端末のディスプレイなど表示部に表示される表示画面の他の例である。
【発明を実施するための形態】
【００１８】
（一実施形態）
以下、図面を参照して本発明の一実施形態について説明する。
【００１９】
（通信システムの構成）
図１は、本発明の一実施形態に係る通信システムの構成例を示すブロック図である。図１に示すように、通信システム１は、複数の情報処理端末１０と、制御システム２０と、ネットワーク３０を含む。
【００２０】
通信システム１は、災害が発生した場合など所定のイベントが発生した場合に、制御システム２０が緊急情報を情報処理端末１０に通知し、当該情報処理端末１０から安否確認情報を収集するものである。
【００２１】
また、制御システム２０は、一の情報処理端末１０から収集した安否確認情報を、予め登録された他の情報処理端末１０に通知してもよい。図１に例示するように、情報処理端末１０Ａは、制御システム２０内の制御装置２１に、安否確認の回答を送信する。その後、制御装置２１は、情報処理端末１０Ａのユーザの安否情報を、予め登録されたグループ内の他の情報処理端末１０Ｂ、１０Ｃ、１０Ｄに通知する。また、図１には図示していないが、情報処理端末１０Ａに対しても、予め登録されたグループ内の他の情報処理端末１０Ｂ、１０Ｃ、１０Ｄのユーザの安否情報を通知する。このように、複数の情報処理端末１０間で安否確認が共有されるため、例えば、社員や家族の安否確認を行うことが可能となる。
【００２２】
ネットワーク３０は、例えば、無線ネットワークや有線ネットワークである。具体的には、ネットワーク３０は、ワイヤレスＬＡＮ（ｗｉｒｅｌｅｓｓ  ＬＡＮ：ＷＬＡＮ）や広域ネットワーク（ｗｉｄｅ  ａｒｅａ  ｎｅｔｗｏｒｋ：ＷＡＮ）、ＩＳＤＮｓ（ｉｎｔｅｇｒａｔｅｄ  ｓｅｒｖｉｃｅ  ｄｉｇｉｔａｌ  ｎｅｔｗｏｒｋｓ）、無線ＬＡＮｓ、ＬＴＥ（ｌｏｎｇ  ｔｅｒｍ  ｅｖｏｌｕｔｉｏｎ）、ＬＴＥ−Ａｄｖａｎｃｅｄ、第４世代（４Ｇ）、第５世代（５Ｇ）、ＣＤＭＡ（ｃｏｄｅ  ｄｉｖｉｓｉｏｎ  ｍｕｌｔｉｐｌｅ  ａｃｃｅｓｓ）などである。なお、ネットワーク３０は、これらの例に限られず、例えば、公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）やブルートゥース（Ｂｌｕｅｔｏｏｔｈ（登録商標））、光回線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線、衛星通信網などであってもよく、どのようなネットワークであってもよい。また、ネットワーク３０は、これらの組み合わせであってもよい。また、ネットワーク３０は、これらの例を組み合わせた複数の異なるネットワークを含むものであってもよい。例えば、ネットワーク３０は、ＬＴＥによる無線ネットワークと、閉域網であるイントラネットなどの有線ネットワークとを含むものであってもよい。
【００２３】
情報処理端末１０は、例えば、例えば、スマートフォンや携帯電話、モバイルルータ、ＰＣ（Ｐｅｒｓｏｎａｌ  Ｃｏｍｐｕｔｅｒ）など、通信機能を備える装置である。また、情報処理端末１０は、スマートデバイス（例えば、スマートメータ、スマートテレビ）や、ウェアラブル端末などであってもよい。また、情報処理端末１０は、例えば、タブレット端末やデスクトップ型ＰＣ、ラップトップ型ＰＣ、書籍閲覧端末、ＶＲ（Ｖｉｒｔｕａｌ  Ｒｅａｌｉｔｙ）端末、ＡＲ（Ａｕｇｍｅｎｔｅｄ  Ｒｅａｌｉｔｙ）端末などであってもよい。なお、情報処理端末１０は、これらの例に限られず。通信機能を備える装置であれば、どのような装置であってもよい。また、通信システム１に含まれる情報処理端末１０の数は、図１の例に限られず、いくつであってもよい。
【００２４】
制御システム２０は、所定のイベントが発生した場合に、情報処理端末１０に対して、緊急情報を通知する。所定のイベントは、例えば、地震や津波などの災害発生や、大規模な火災の発生、台風の接近、河川の氾濫、火山の噴火、竜巻の発生など、どのようなものであってもよい。また、所定のイベントは、これらの例に限れず、どのようなものであってもよい。
【００２５】
緊急情報は、例えば緊急地震速報であり、地震の発生や津波の発生を通知するための情報である。通信事業者による緊急地震速報は、ＣＢＳ（Ｃｅｌｌ  Ｂｒｏａｄｃａｓｔ  Ｓｅｒｖｉｃｅ）形式や、ＥＴＷＳ（Ｅａｒｔｈｑｕａｋｅ  ａｎｄ  Ｔｕｎａｍｉ  Ｗａｒｎｉｎｇ  Ｓｙｓｔｅｍ）形式、ブロードキャストＳＭＳ形式等で配信される。制御システム２０は、例えば、所定の規模以上の地震が発生した場合、Ｐ波（初期微動）観測時に、気象庁などから緊急地震速報を受信する。そして、制御システム２０は、緊急地震速報を対象エリアに在圏する情報処理端末１０に対して、緊急地震速報を通知する。その後、制御システム２０は、緊急地震速報の通知から一定の時間が経過したことに基づいて、安否確認のための表示画面である安否確認画面を、情報処理端末１０に送信する。なお、緊急情報は、緊急地震速報に限られず、各種災害の発生を報知する情報や、緊急事態であることを報知するための情報であれば、どのようなものであってもよい。
【００２６】
なお、制御システム２０は、情報処理端末１０から受信した安否確認の回答結果に基づいて、所定の処理を実行する。制御システム２０は、例えば、安否確認に対する回答が肯定的な内容である場合、肯定的な回答を送信してきた一の情報処理端末１０に対して、予め登録された他の情報処理端末１０のユーザの安否情報を送信する。
【００２７】
図２は、情報処理端末１０のディスプレイなど表示部１０３に表示される表示画面の例である。図２に例示するように、情報処理端末１０は、ユーザの安否を確認するための安否確認画面を表示する。安否確認画面は、図２に例示するように、安否確認に対して肯定的な回答を行うための第１アイコン４１と、安否確認に対して否定的な回答を行うための第２アイコン４２とを含む。情報処理端末１０のユーザは、第１アイコン４１または第２アイコン４２のいずれかを選択することで、安否確認を実行可能である。このように、一実施形態において、情報処理端末１０のユーザは、安否確認に際してアイコンを選択するのみで回答でき、ユーザに対して手間をかけずに安否確認を行うことが可能となる。
【００２８】
また、図２に例示するように、安否確認画面は、例えば、「安全ですか？  ＡＲＥ  ＹＯＵ  ＳＡＦＥ？」というテキストデータ４０を含む。このように、安否確認画面は、テキストデータ４０と、第１アイコン４１と、第２アイコン４２を含むのみであるため、簡潔かつ明確な表示であり、情報処理端末１０のユーザが災害等の所定のイベント発生により混乱していたとしても、安否確認を行うことができる。
【００２９】
なお、図２に例示する安否確認画面は、あくまでも一例であって、テキストデータ４０の内容はどのようなものであってもよいし、第１アイコン４１や第２アイコン４２の位置や大きさ、形状は、どのようなものであってもよい。また、テキストデータ４０の色は、例えば赤色など、目立つ色にしてもよい。また、第１アイコン４１や第２アイコン４２の色は、情報処理端末１０のユーザが選択しやすいように、互いに異なる色としてもよい。
【００３０】
制御装置２１は、例えば、サーバ装置やスーパーコンピュータ、デスクトップ型のＰＣ、ラップトップ型のＰＣ、タブレットなどである。なお、制御装置２１は、これらの例に限られず、所定のサービスを提供可能な装置であれば、どのような装置であってもよい。また、制御装置２１は、複数のコンピュータ装置を組み合わせて構成することもできる。
【００３１】
なお、制御装置２１は、機能ごとに複数設けてもよく、例えば、緊急情報を通知する制御装置２１Ａ（図示しない）と、安否確認を実行する制御装置２１Ｂ（図示しない）とを異なる制御装置２１としてもよい。また、制御装置２１は、クラウドシステムであってもよく、インターネット上にグローバルに拡散配置されたコンピューティングリソースを使用するものであってもよい。
【００３２】
ＤＢ２２は、既存の顧客に関する情報を管理するデータベースである。ＤＢ２２は、既存の顧客に関する各種情報として、例えば、一の情報処理端末１０のユーザの安否情報を転送可能な、他の情報処理端末１０を登録する。なお、ＤＢ２２は、例えば、加入者情報としての利用者識別情報（利用者ＩＤ）、パスワード、氏名や住所などの利用者情報、利用可能なサービスに関する情報、使用している通信端末装置の情報（例えば電話番号）などを記憶してもよい。また、ＤＢ２２は、加入者情報として、メールアドレスや年齢、血液型、性別、病歴、交友関係、家族関係など、加入者に関連する情報であれば、どのような情報を記憶してもよい。ＤＢ２２は、例えば、ＨＤＤ、ＳＳＤ、フラッシュメモリなど各種の記憶媒体により実現される。
【００３３】
（情報処理端末の構成）
図３は、本発明の一実施形態における情報処理端末１０の構成例を示す図である。情報処理端末１０は、制御部１００と、通信部１０１と、入出力部１０２と、表示部１０３と、マイク／スピーカ１０４と、カメラ部１０５と、ＧＰＳ部１０６と、センサ部１０７と、ＵＳＩＭ１０８と、記憶部１０９を含む。
【００３４】
通信部１０１は、ネットワーク３を介して、他の情報処理端末１０や制御装置２１、ＤＢ２２との間でメッセージなどを送受信可能な通信インターフェースである。通信部１０１は、例えば、無線通信が可能な通信インターフェースであり、無線ＬＡＮのアクセスポイントを介して通信する機能や、ＬＴＥやＣＤＭＡなどの無線通信ネットワークを介して通信するための機能を含んでいてもよい。なお、アクセスポイントは、例えばＩＥＥＥ８０２．１１の規格に準拠したＷｉ−Ｆｉなどの無線ＬＡＮの無線通信方式による通信を提供する。
【００３５】
なお、通信部１０１は、例えば、他の情報処理端末１０や各種サーバとの間で音声通信やメッセージの送受信の通信を行うためのデジタル処理を実行してもよい。通信部１０１は、例えば、送受信するメッセージをＤ／Ａ変換やＡ／Ｄ変換することにより、音声通信やメッセージの送受信の通信を行う。
【００３６】
入出力部１０２は、情報処理端末１０に対する各種操作を入力する機能、および、情報処理端末１０で処理された処理結果を出力する機能を含む。入出力部１０２は、例えば、タッチパネルなどであり、ユーザの指やスタイラスなどの指示具による接触とその接触位置を検出可能である。また、入出力部１０２は、例えば、キーボードやマウス等のポインティングデバイス、音声による操作入力が可能な装置等であってもよい。また、入出力部１０２は、スピーカなどの音声出力装置や３Ｄ（ｔｈｒｅｅ  ｄｉｍｅｎｓｉｏｎｓ）出力装置、ホログラム出力装置などであり、処理結果を出力する機能を含む。なお、入出力部１０２は、これらに限定されず、どのような装置であってもよい。
【００３７】
表示部１０３は、例えば、液晶ディスプレイやＯＥＬＤ（ｏｒｇａｎｉｃ  ｅｌｅｃｔｒｏｌｕｍｉｎｅｓｃｅｎｃｅ  ｄｉｓｐｌａｙ）などのモニタである。また、表示部１０３は、ヘッドマウントディスプレイ（ＨＭＤ：Ｈｅａｄ  Ｍｏｕｎｔｅｄ  Ｄｉｓｐｌａｙ）や、プロジェクションマッピング、ホログラムなど、空間に画像やテキスト情報等を表示可能な装置により実現されてもよい。
【００３８】
検知部（マイク／スピーカ）１０４は、音声入力や音声出力が可能なデバイスである。情報処理端末１０のユーザは、検知部（マイク／スピーカ）１０４を用いて、音声の入出力を行う。
【００３９】
カメラ部１０５は、レンズや撮像デバイス等で構成され、人物や風景等を撮影する時に用いられる。撮像デバイスとしては、ＣＣＤ（Ｃｈａｒｇｅ  Ｃｏｕｐｌｅｄ  Ｄｅｖｉｃｅ）カメラやＣＭＯＳカメラを用いることができる。
【００４０】
ＧＰＳ部１０６は、ＧＰＳ受信モジュールやＧＰＳアンテナ等で構成され、複数のＧＰＳ衛星から電波を受信し、情報処理端末１０の現在位置情報（緯度、経度及び高度のデータ）を算出する。また、ＧＰＳ部１０６は、受信する絶対時刻情報のデータ信号及びタイムパルス信号に基づいて、情報処理端末１０の時刻を合わせる同期処理を行うことができる。
【００４１】
センサ部１０７は、加速度センサや地磁気センサ等で構成されている。加速度センサや地磁気センサは、１軸の加速度センサであっても、２軸や３軸等の複数軸の加速度センサであってもよい。センサ部１０７は、例えば、情報処理端末１０の位置、向き、姿勢及び動きを示すデータを算出することができる。また、センサ部１０７は、例えば、情報処理端末１０の加速度データや地磁気データを算出することもできる。
【００４２】
ＵＳＩＭ１０８は、装置本体に対して着脱可能な加入者情報記憶媒体であるＩＣモジュールである。ＵＳＩＭ１０８に記憶される加入者情報により、情報処理端末１０は、ＬＴＥやＣＤＭＡなどの無線通信ネットワークを介して、通信することが可能となる。
【００４３】
記憶部１０９は、情報処理端末１０が動作するうえで必要とする各種プログラムや各種データを記憶する機能を含む。記憶部１０９は、ＨＤＤ、ＳＳＤ、フラッシュメモリなど各種の記憶媒体により実現される。
【００４４】
記憶部１０９は、例えば、制御部１００における各種処理に用いられるドライバプログラム、オペレーティングシステムプログラム、アプリケーションプログラム、データ等を記憶する。例えば、記憶部１０９は、ドライバプログラムとして、ＩＥＥＥ８０２．１１規格の無線通信方式や移動体通信（セルラー通信）の無線通信方式を実行する通信ドライバプログラムを記憶する。また、記憶部１０９は、入力デバイスドライバプログラムや出力デバイスドライバプログラム等を記憶する。また、記憶部１０９は、オペレーティングシステムプログラムとして、例えば、Ａｎｄｒｏｉｄ（登録商標）ＯＳ、ｉＯＳ（登録商標）等の基本ＯＳや、ＩＥＥＥ８０２．１１規格の無線通信方式や移動体通信（セルラー通信）の無線通信方式での認証等を行う接続制御プログラム等を記憶する。また、記憶部１０９は、アプリケーションプログラムとして、ウェブ認証を行う認証プログラム、時間を計時する計時プログラム、ウェブページを取得及び表示するウェブブラウザプログラム、電子メールを送信及び受信する電子メールプログラム等を記憶する。また、記憶部１０９は、無線ＬＡＮのアクセスポイントに接続するための各種情報を記憶していてもよい。また、記憶部１０９は、各種のテキストデータ、映像データ、画像データ等を記憶したり、所定の処理に係る一時的なデータを一時的に記憶したりしてもよい。
【００４５】
制御部１００は、プログラム内のコードや命令によって所定の機能を実行するための機能を備え、例えば、中央処理装置（ＣＰＵ）である。また、制御部１００は、例えば、マイクロプロセッサやマルチプロセッサ、ＡＳＩＣ、ＦＰＧＡなどであってもよい。なお、制御部１００は、これらの例に限定されない。
【００４６】
制御部１００は、図３に例示するように、受信部１１０と、表示処理部１２０と、送信部１３０を含む。
【００４７】
受信部１１０は、例えば、通信部１０１を介して受信したメッセージについて、受信処理を実行する。情報処理端末１０Ａの受信部１１０は、例えば、制御装置２１から、所定のイベントの発生に基づいて発信された緊急情報を受信する。また、情報処理端末１０Ａの受信部１１０は、例えば、制御装置２１から、安否確認を行うための安否確認画面を受信してもよい。なお、安否確認画面は、表示処理部１２０が作成するものであってもよい。受信部１１０は、これらの例に限られず、通信部１０１を介して、様々なメッセージを受信可能である。
【００４８】
送信部１３０は、安否確認に対する回答である安否情報を、制御装置２１に対して送信する。送信部１３０は、制御装置２１に対して送信する安否情報に、少なくとも情報処理端末１０を識別するための識別子（例えば、加入者情報）と、情報処理端末１０の現在位置に関する情報とを含ませる。情報処理端末１０の現在位置は、例えば、ＧＰＳ部１０６が算出した当該情報処理端末１０の現在位置情報（緯度、経度及び高度のデータ）である。
【００４９】
表示処理部１２０は、表示部１０３に、緊急情報を受信したことに基づいて、安否確認を行うための安否確認画面を表示させる。表示処理部１２０は、図２に例示するように、緊急情報を受信したことに基づいて、安否確認を行うための安否確認画面であって、安否確認に対して肯定的な回答を行うための第１アイコン４１と、安否確認に対して否定的な回答を行うための第２アイコン４２とを含む安否確認画面を表示させる。また、表示処理部１２０は、所定の条件に基づいて、安否確認画面における第１アイコン４１と第２アイコン４２の相対的な大きさを変更する。なお、表示処理部１２０が表示する安否確認画面は、例えば、「安全ですか？  ＡＲＥ  ＹＯＵ  ＳＡＦＥ？」というテキストデータ４０を含んでいてもよい。
【００５０】
表示処理部１２０が表示する安否確認画面において、第１アイコン４１や第２アイコン４２の位置や大きさ、形状は、どのようなものであってもよい。
【００５１】
また、表示処理部１２０は、所定の条件に基づいて、安否確認画面における第１アイコン４１と第２アイコン４２の相対的な大きさを変更する。所定の条件は、例えば、所定のイベントの発生地点と情報処理端末１０の位置との距離である。表示処理部１２０は、例えば、所定のイベントの発生地点と、情報処理端末１０との距離が所定値以内であることに基づいて、安否確認画面における第２アイコン４２を、第１アイコン４１よりも大きく表示する。一方、表示処理部１２０は、例えば、所定のイベントの発生地点と、情報処理端末１０との距離が所定値よりも大きいことに基づいて、安否確認画面における第１アイコン４１を、第２アイコン４２よりも大きく表示する。
【００５２】
所定値は、例えば、所定のイベントが地震の場合には、当該地震の震源地から１００ｋｍや５００ｋｍなど、どのような値であってもよい。また、所定値は、地震の規模に応じて、適宜設定されてもよい。また、所定値は、例えば、所定のイベントが津波の場合には、津波の到着予想地点から３ｋｍや１０ｋｍなど、どのような値であってもよい。また、所定値は、津波の規模に応じて、適宜設定されてもよい。このように、所定値は、所定のイベントに応じて設定される値であり、また、所定のイベントの規模に応じて、適宜設定される。また、所定値は、予め定められていてもよい。
【００５３】
図４は、情報処理端末１０のディスプレイなど表示部１０３に表示される表示画面の他の例である。図４（ａ）に例示するように、表示処理部１２０は、所定のイベントの発生地点と、情報処理端末１０との距離が所定値以内であることに基づいて、安否確認画面における第２アイコン４２を、第１アイコン４１よりも大きく表示する。所定のイベントが、例えば、所定の規模以上（例えば、震度５弱以上）の地震である場合、当該地震の発生地点と、情報処理端末１０との距離が所定値以内であることに基づいて、安否確認に対して否定的な回答を行うための第２アイコン４２を、肯定的な回答を行うための第１アイコン４１よりも大きく表示させる。ここで、地震の発生地点に近づくほど、否定的な回答を行うユーザが増えることが予想されるため、情報処理端末１０は、安否確認に対して否定的な回答を行うための第２アイコン４２を大きく表示して、ユーザが当該否定的な回答の選択を容易にすることで、当該ユーザに対する安否確認の手間を低減させることができる。
【００５４】
一方、図４（ｂ）に例示するように、表示処理部１２０は、所定のイベントの発生地点と、情報処理端末１０との距離が所定値よりも大きいことに基づいて、安否確認画面における第１アイコン４１を、第２アイコン４２よりも大きく表示する。その結果、地震の震源地から距離が離れている情報処理端末１０は、肯定的な回答を行うための第１アイコン４１が、安否確認に対して否定的な回答を行うための第２アイコン４２よりも大きく表示される。そのため、地震の震源地から離れたユーザは、肯定的な回答を行うユーザが増えることが予想されるため、情報処理端末１０は、安否確認に対して肯定的な回答を行うための第１アイコン４１を大きく表示して、ユーザが当該肯定的な回答の選択を容易にすることで、ユーザの選択ミスを低減させるとともに、ユーザの安否確認の手間を低減させることができる。
【００５５】
図５は、情報処理端末１０のディスプレイなど表示部１０３に表示される表示画面の他の例である。図５に例示するように、表示処理部１２０は、所定のイベントの発生地点から情報処理端末１０までの距離に基づいて、第１アイコン４１と第２アイコン４２の相対的な大きさを変更する。図５（ａ）に例示するように、表示処理部１２０は、情報処理端末１０の位置が所定のイベントの発生地点から近い場合、否定的な回答を行うための第２アイコン４２の大きさを、肯定的な回答を行うための第１アイコン４１よりも大きく表示する。
【００５６】
一方、図５（ｃ）に例示するように、表示処理部１２０は、情報処理端末１０の位置が所定のイベントの発生地点から遠い場合、肯定的な回答を行うための第１アイコン４１の大きさを、否定的な回答を行うための第２アイコン４２よりも大きく表示する。
【００５７】
また、図５（ａ）の情報処理端末１０の位置と、図５（ｃ）の情報処理端末１０の位置との概ね中間地点に位置している情報処理端末１０には、図５（ｂ）に例示するように、第１アイコン４１と第２アイコン４２とが略同一の大きさで表示される。
【００５８】
このように、表示処理部１２０は、所定のイベントの発生地点から情報処理端末１０までの距離に応じて、第１アイコン４１と第２アイコン４２の相対的な大きさを変更するため、情報処理端末１０のユーザがアイコンの選択を容易にすることで、当該ユーザに対する安否確認の手間を低減させることができる。
【００５９】
図６は、情報処理端末１０のディスプレイなど表示部１０３に表示される表示画面の他の例である。図６に例示するように、表示処理部１２０は、第１アイコン４１や第２アイコン４２の位置や大きさ、形状を変更してもよい。
【００６０】
図６（ａ）に例示するように、表示処理部１２０は、所定の条件に基づいて、図２で例示される画面表示に対して、第１アイコン４１と第２アイコン４２の相対的な大きさを変更し、さらに、その位置を入れ替えてもよい。表示処理部１２０は、例えば、所定のイベントの発生地点と、情報処理端末１０との距離が所定値以内であることに基づき、安否確認画面において、第２アイコン４２を左側に、第１アイコン４１を右側に配置する。すなわち、表示処理部１２０は、より選択される可能性が高いアイコンを、右側に配置するようにして、情報処理端末１０のユーザが当該アイコンの選択を容易にすることで、ユーザの選択ミスを低減させるとともに、ユーザの安否確認の手間を低減させることができる。
【００６１】
図６（ｂ）に例示するように、表示処理部１２０は、所定の条件に基づいて、図２で例示される画面表示に対して、第１アイコン４１と第２アイコン４２の相対的な大きさを変更し、さらに、より選択される可能性が高いアイコンの形状を変更してもよい。表示処理部１２０は、例えば、所定のイベントの発生地点と、情報処理端末１０との距離が所定値以内であることに基づき、安否確認画面において、第２アイコン４２の形状を、第１アイコン４１よりも目立つ形状に変更する。図６（ｂ）の例示では、第２アイコン４２の形状を、星形に変更している。すなわち、表示処理部１２０は、より選択される可能性が高いアイコンの形状を、目立つ形状に変更することにより、情報処理端末１０のユーザが当該アイコンの選択を容易にすることで、ユーザの選択ミスを低減させるとともに、ユーザの安否確認の手間を低減させることができる。
【００６２】
（制御装置の構成）
図７は、本発明の一実施形態における制御装置２１の構成例を示す図である。制御装置２１は、制御部２００と、通信部２０１と、入出力部２０２と、表示部２０３と、記憶部２０４を含む。
【００６３】
通信部２０１は、ネットワーク３を介して、他の情報処理端末１０やＤＢ２２との間でメッセージなどを送受信可能な通信インターフェースである。通信部２０１は、例えば、無線通信が可能な通信インターフェースであり、無線ＬＡＮのアクセスポイントを介して通信する機能や、ＬＴＥやＣＤＭＡなどの無線通信ネットワークを介して通信するための機能を含んでいてもよい。
【００６４】
なお、通信部２０１は、例えば、他の情報処理端末や各種サーバとの間で音声通信やメッセージの送受信の通信を行うためのデジタル処理を実行してもよい。通信部２０１は、例えば、送受信するメッセージをＤ／Ａ変換やＡ／Ｄ変換することにより、音声通信やメッセージの送受信の通信を行う。
【００６５】
入出力部２０２は、制御装置２１に対する各種操作を入力する機能、および、制御装置２１で処理された処理結果を出力する機能を含む。入出力部２０２は、例えば、キーボードやマウス等のポインティングデバイス、音声による操作入力が可能な装置等であってもよい。また、入出力部２０２は、例えば、タッチパネルなどであり、ユーザの指やスタイラスなどの指示具による接触とその接触位置を検出可能である。また、入出力部２０２は、スピーカなどの音声出力装置や３Ｄ（ｔｈｒｅｅ  ｄｉｍｅｎｓｉｏｎｓ）出力装置、ホログラム出力装置などであり、処理結果を出力する機能を含む。なお、入出力部２０２は、これらに限定されず、どのような装置であってもよい。
【００６６】
表示部２０３は、例えば、液晶ディスプレイやＯＥＬＤ（ｏｒｇａｎｉｃ  ｅｌｅｃｔｒｏｌｕｍｉｎｅｓｃｅｎｃｅ  ｄｉｓｐｌａｙ）などのモニタである。また、表示部２０３は、ヘッドマウントディスプレイ（ＨＭＤ：Ｈｅａｄ  Ｍｏｕｎｔｅｄ  Ｄｉｓｐｌａｙ）や、プロジェクションマッピング、ホログラムなど、空間に画像やテキスト情報等を表示可能な装置により実現されてもよい。
【００６７】
記憶部２０４は、制御装置２１が動作するうえで必要とする各種プログラムや各種データを記憶する機能を含む。記憶部２０４は、ＨＤＤ、ＳＳＤ、フラッシュメモリなど各種の記憶媒体により実現される。
【００６８】
制御部２００は、プログラム内のコードや命令によって所定の機能を実行するための機能を備え、例えば、中央処理装置（ＣＰＵ）である。また、制御部２００は、例えば、マイクロプロセッサやマルチプロセッサ、ＡＳＩＣ、ＦＰＧＡなどであってもよい。なお、制御部２００は、これらの例に限定されない。
【００６９】
制御部２００は、図７に例示するように、受信処理部２１０と、送信処理部２１１を含む。
【００７０】
受信処理部２１０は、通信部２０１を介して受信したメッセージについて、受信処理を実行する。受信処理部２１０は、例えば、情報処理端末１０Ａから、安否確認に対する回答である安否情報を受信する。なお、受信処理部２１０は、これらの例に限られず、制御装置２１宛の各種メッセージを受信可能である。
【００７１】
送信処理部２１１は、通信部２０１を介して、メッセージを送信する送信処理を実行する。また、送信処理部２１１は、送信するメッセージを作成する処理を実行してもよい。送信処理部２１１は、例えば、複数の情報処理端末１０に対して、緊急情報を送信する。送信処理部２１１は、例えば、緊急地震速報を、ＣＢＳ形式や、ＥＴＷＳ（形式、ブロードキャストＳＭＳ形式等で、複数の情報処理端末１０に対して送信する。
【００７２】
送信処理部２１１は、情報処理端末１０の各々に対して、安否確認を行うための安否確認画面を送信してもよい。なお、安否確認画面は、表示処理部１２０が作成するものであってもよい。
【００７３】
また、送信処理部２１１は、一の情報処理端末１０Ａから安否確認の回答を受信した場合、当該安否確認を予め登録された他の情報処理端末１０（例えば、情報処理端末１０Ｂ、１０Ｃ、１０Ｄ）に対して送信する安否情報を作成し、当該他の情報処理端末１０に送信する。
【００７４】
送信処理部２１１は、一の情報処理端末１０Ａから安否確認の回答を受信した場合、ＤＢ２２に参照して、当該一の情報処理端末１０Ａの安否確認の送信先として予め登録されていた他の情報処理端末１０（例えば、情報処理端末１０Ｂ、１０Ｃ、１０Ｄ）を特定する。送信処理部２１１は、特定した他の情報処理端末１０に対して、一の情報処理端末１０Ａの安否確認の回答結果を送信する。
【００７５】
図８は、情報処理端末１０のディスプレイなど表示部１０３に表示される表示画面の他の例である。図８に例示するように、一の情報処理端末１０の表示処理部１２０は、制御装置２１から通知された他の情報処理端末１０のユーザの安否情報４３を表示する。制御装置２１から通知された安否情報４３は、例えば、ＤＢ２２に予め登録されたグループ内の他のユーザの安否情報である。図８に例示するように、表示処理部１２０は、予め登録されていた同僚Ａ、同僚Ｂ、同僚Ｃ、父、母の安否情報４３を表示する。表示される安否情報４３は、例えば、肯定的な回答を示す「無事」や、否定的な回答を示す「要救助」や、そもそも回答がないことを示す「無回答」などである。図８の例では、同僚Ａ、同僚Ｂ、父の安否情報が、肯定的な回答を示す「無事」であり、母の安否情報が、否定的な回答を示す「要救助」であり、同僚Ｃの安否情報が、回答がないことを示す「無回答」である。
【００７６】
なお、制御装置２１が安否確認を受信するのは、所定のイベントからの距離が所定の範囲内に含まれ、緊急情報の送信対象となった情報処理端末１０からである。そのため、予め登録されたグループ内の他の情報処理端末１０であっても、緊急情報の送信対象でない情報処理端末１０については、安否情報に掲載しなくてもよい。なお、予め登録されたグループ内の他の情報処理端末１０の全ての安否情報を掲載する場合、緊急情報の送信対象でない情報処理端末１０については、安否情報として例えば「範囲外」などと表示してもよい。また、表示される安否情報４３は、これらの例に限られず、どのようなものであってもよい。
【００７７】
上記の通り、通信システム１は、一の情報処理端末１０Ａの安否確認を、予め登録されたグループ内の他の情報処理端末１０に通知するため、複数の情報処理端末１０間で安否確認が共有され、例えば、社員や家族の安否確認を行うことが可能となる。
【００７８】
（ＤＢに記憶されるデータ）
ＤＢ２２は、一の情報処理端末１０Ａと、当該一の情報処理端末１０Ａの安否情報を送信可能な他の情報処理端末１０（例えば、１０Ｂ、１０Ｃ，１０Ｄ）を対応付けて記憶する。
【００７９】
ＤＢ２２は、一の情報処理端末１０の安否情報を送信する他の情報処理端末１０の情報を記憶する。ＤＢ２２は、例えば、一の情報処理端末１０からの要求に応じて、安否情報を送信する他の情報処理端末１０の情報を記憶する。
【００８０】
また、ＤＢ２２は、例えば、企業などが社員に情報処理端末１０を貸与している場合、当該企業からの要求に応じて、一の情報処理端末１０の安否情報の送信先を登録してもよい。送信先は、例えば、企業が保有する情報処理装置（図示していない）であってもよいし、他の情報処理端末１０のうちの少なくとも一部であってもよい。
【００８１】
また、ＤＢ２２は、一の情報処理端末１０の通信の契約時に、当該一の情報処理端末１０の安否情報を送信する他の情報処理端末１０の情報を登録してもよい。例えば、両親が子供の使用する情報処理端末１０の通信契約を行う時点で、子供が使用する一の情報処理端末１０の安否情報を送信先として、両親の情報処理端末１０を登録してもよい。
【００８２】
なお、ＤＢ２２は、これらの例に限られず、どのようなタイミングで、一の情報処理端末１０Ａの安否情報を送信可能な、他の情報処理端末１０を登録してもよい。
【００８３】
（動作例）
図９は、本発明の一実施形態に係る通信システム１の動作例を示すシーケンス図である。
【００８４】
図９に例示するように、所定のイベントが発生した場合、気象庁などから、制御装置２１は、緊急情報を受信する（Ｓ１０１）。
【００８５】
その後、制御装置２１は、緊急情報（例えば、緊急地震速報）を、所定のエリア内に在圏する情報処理端末１０（例えば、情報処理端末１０Ａなど）に送信する（Ｓ１０２）。また、制御装置２１は、緊急情報を送信してから所定時間経過後に、安否確認を行うための安否確認画面を、情報処理端末１０に送信する（Ｓ１０３）。
【００８６】
情報処理端末１０は、当該情報処理端末１０のユーザが回答した安否情報を（Ｓ１０４）、制御装置２１に送信する（Ｓ１０５）。
【００８７】
制御装置２１は、予めグループとして登録された他の情報処理端末１０（例えば、情報処理端末１０Ｂ、１０Ｃ、１０Ｄ）を特定し（Ｓ１０６）、当該他の情報処理端末１０に対して、一の情報処理端末１０Ａの安否情報を送信する（Ｓ１０７）。
【００８８】
図１０は、本発明の一実施形態に係る情報処理端末１０の動作例を示すフローチャートである。図１０の動作例は、情報処理端末１０が、安否情報を制御装置２１に送信する場合の動作例である。
【００８９】
図１０に示すように、情報処理端末１０の受信部１１０は、所定のイベントの発生に基づいて発信された緊急情報を受信する（Ｓ２０１）。
【００９０】
その後、表示処理部１２０は、前記緊急情報を受信したことに基づいて、安否確認を行うための安否確認画面であって、前記安否確認に対して肯定的な回答を行うための第１アイコン４１と、前記安否確認に対して否定的な回答を行うための第２アイコン４２とを含む前記安否確認画面を表示させる（Ｓ２０２）。
【００９１】
そして、表示処理部１２０は、所定の条件に基づいて、安否確認画面における第１アイコン４１と第２アイコン４２の相対的な大きさを変更する（Ｓ２０３）。
【００９２】
その後、送信部１３０は、安否確認画面に基づいてユーザにより入力された安否情報を、制御装置２１に対して送信する（Ｓ２０４）。
【００９３】
上記の通り、本発明の一実施形態によれば、所定の条件に基づいて、安否確認に対して肯定的な回答を行うための第１アイコンと、安否確認に対して否定的な回答を行うための第２アイコンとの相対的な大きさを変更するため、情報処理端末１０のユーザの状況に応じた安否確認画面を表示することができ、当該ユーザが容易に安否確認を実行することが可能となる。そのため、ユーザに対して手間をかけずに安否確認を行うことが可能な情報処理端末、表示方法および表示プログラムを提供できる。
【００９４】
（変形例１）
本発明の一実施形態の変形例１は、安否確認画面における第１アイコン４１と第２アイコン４２の相対的な大きさを変更するための所定の条件が、情報処理端末１０の移動速度である場合の実施例である。
【００９５】
変形例１において、所定の条件は、例えば、情報処理端末１０の移動速度である。情報処理端末１０の移動速度は、例えば、加速度センサ等の測定部１０７により測定可能である。情報処理端末１０の表示処理部１２０は、情報処理端末１０の移動速度が所定値以上であることに基づいて、安否確認画面における第２アイコン４２を、第１アイコン４１よりも大きく表示する。一方、表示処理部１２０は、例えば、情報処理端末１０の移動速度が所定値未満であることに基づいて、安否確認画面における第１アイコン４１を、第２アイコン４２よりも大きく表示する。
【００９６】
所定値は、例えば、時速５ｋｍや時速１０ｋｍなど、どのような値であってもよい。また、所定値は、所定のイベントの規模に応じて、適宜設定されてもよい。災害などの所定のイベントが発生した場合、情報処理端末１０のユーザは、避難するために急いで移動する可能性が高い。そこで、情報処理端末１０が、所定値以上の速度で移動している場合には、否定的な回答を行うための第２アイコン４２を、肯定的な回答を行うための第１アイコン４１よりも大きく表示する。
【００９７】
なお、情報処理端末１０の移動速度が、ある一定の速度以上である場合には、ユーザが自力で移動しているのではなく、電車や自動車などの乗り物で移動している可能性が高いため、情報処理端末１０の移動速度に基づくアイコンの表示態様の変更は実行しなくてもよい。ある一定の速度は、例えば、時速３０ｋｍなど、ユーザが自力では移動できない速度である。
【００９８】
上記の通り、一実施形態の変形例１では、情報処理端末１０が、所定値以上の速度で移動している場合には、否定的な回答を行うための第２アイコン４２を、肯定的な回答を行うための第１アイコン４１よりも大きく表示する。そのため、情報処理端末１０のユーザの状況に応じた安否確認画面を表示することができ、当該ユーザが容易に安否確認を実行することが可能となる。そのため、ユーザに対して手間をかけずに安否確認を行うことが可能な情報処理端末、表示方法および表示プログラムを提供できる。
【００９９】
（変形例２）
本発明の一実施形態の変形例２は、安否確認画面における前記第１アイコンと前記第２アイコンの相対的な大きさを変更するための所定の条件が、情報処理端末１０の周囲の音である場合の実施例である。
【０１００】
変形例２において、所定の条件は、例えば、情報処理端末１０の周囲の音である。情報処理端末１０の周囲の音は、例えば、マイクなどの検知部１０４により測定可能である。情報処理端末１０の表示処理部１２０は、情報処理端末１０の周囲の音が所定値以上であることに基づいて、安否確認画面における第２アイコン４２を、第１アイコン４１よりも大きく表示する。一方、表示処理部１２０は、例えば、情報処理端末１０の周囲の音が所定値未満であることに基づいて、安否確認画面における第１アイコン４１を、第２アイコン４２よりも大きく表示する。
【０１０１】
所定値は、例えば、５０ｄＢや７０ｄＢなど、どのような値であってもよい。また、所定値は、所定のイベントの規模に応じて、適宜設定されてもよい。災害などの所定のイベントが発生した場合、情報処理端末１０の周囲の音は、騒音等により大きくなる可能性が高い。そこで、情報処理端末１０の周囲の音が、所定値以上の場合には、否定的な回答を行うための第２アイコン４２を、肯定的な回答を行うための第１アイコン４１よりも大きく表示する。
【０１０２】
また、表示処理部１２０は、情報処理端末１０の周囲の音について、所定値以上の状態が一定時間継続したことに基づいて、安否確認画面における前記第１アイコンと前記第２アイコンの相対的な大きさを変更してもよい。これにより、情報処理端末１０の周囲の騒音が一定時間継続した場合に、否定的な回答を行うための第２アイコン４２を、肯定的な回答を行うための第１アイコン４１よりも大きく表示することができる。
【０１０３】
上記の通り、一実施形態の変形例２では、情報処理端末１０の周囲の音が、所定値以上の場合には、否定的な回答を行うための第２アイコン４２を、肯定的な回答を行うための第１アイコン４１よりも大きく表示する。そのため、情報処理端末１０の周囲の状況に応じた安否確認画面を表示することができ、当該ユーザが容易に安否確認を実行することが可能となる。そのため、ユーザに対して手間をかけずに安否確認を行うことが可能な情報処理端末、表示方法および表示プログラムを提供できる。
【０１０４】
（変形例３）
本発明の一実施形態の変形例３は、情報処理端末１０の表示処理部１２０が、安否確認に対する回答が否定的な内容である場合、情報処理端末１０から救助の必要があるか否かを示す救助要否情報を表示する場合の実施例である。
【０１０５】
変形例３において、表示処理部１２０は、安否確認に対する回答が否定的な内容である場合、図２に例示するような安否情報確認の表示画面から、救助の要否を確認するための救助要否確認画面に遷移させる。
【０１０６】
図１１は、情報処理端末１０のディスプレイなど表示部１０３に表示される表示画面の他の例である。図１１に例示するように、表示処理部１２０は、安否確認に対する回答が否定的な内容である場合、救助の要否を確認するための救助要否確認画面に遷移させる。図１１に例示するように、救助要否確認に対して肯定的な回答を行うための第３アイコン４５と、救助要否確認に対して否定的な回答を行うための第４アイコン４６とを含む。情報処理端末１０のユーザは、第３アイコン４５または第４アイコン４６のいずれかを選択することで、救助要否確認を実行可能である。このように、変形例３において、情報処理端末１０のユーザは、救助要否確認に際してアイコンを選択するのみで回答でき、ユーザに対して手間をかけずに安救助要否確認を行うことが可能となる。
【０１０７】
また、図１１に例示するように、救助要否確認画面は、「救助が必要ですか？」というテキストデータ４０を含む。このように、安否確認画面は、テキストデータ４０と、第３アイコン４５と、第４アイコン４６を含むのみであるため、簡潔かつ明確な表示であり、情報処理端末１０のユーザが災害等の所定のイベント発生により混乱していたとしても、救助要否確認を行うことができる。
【０１０８】
また、図１２は、情報処理端末１０のディスプレイなど表示部１０３に表示される表示画面の他の例である。図１２（ｂ）に例示するように、表示処理部１２０は、ユーザにより入力された安否情報が肯定的な回答であることに基づいて、予め登録されたグループ内の他のユーザの安否情報を表示する。一方、図１２（ｃ）に例示するように、表示処理部１２０は、ユーザにより入力された安否情報が否定的な回答であることに基づいて、救助の要否を確認するための救助要否確認画面を表示する。
【０１０９】
この場合において、制御装置２１は、例えば、安否確認に対する回答が否定的な内容である場合、情報処理端末１０から救助の必要があるか否かを確認するために、救助要否確認画面を作成し、情報処理端末１０へ送信してもよい。また、送信処理部２１１は、例えば、安否確認に対する回答が肯定的な内容である場合、肯定的な回答を送信してきた一の情報処理端末１０に対して、予め登録された他の情報処理端末１０の安否情報を送信してもよい。
【０１１０】
このように、情報処理端末１０は、ユーザにより入力された安否情報に基づいて、図１２（ａ）に例示する安否確認画面から遷移する画面（図１２（ｂ）又は図１２（ｃ））を決定することができ、ユーザの状況に基づいて適切な表示画面を提供することができる。
【０１１１】
（変形例４）
本発明の一実施形態の変形例４は、安否確認画面を表示してから所定の時間を経過したことに基づいて、音声による安否確認を実行する場合の実施例である。
【０１１２】
図１３は、情報処理端末１０のディスプレイなど表示部１０３に表示される表示画面の他の例である。図１３（ａ）に例示するように、表示処理部１２０は、まず、肯定的な回答を行うための第１アイコン４１と、安否確認に対して否定的な回答を行うための第２アイコン４２とを略同一の大きさで表示する。なお、表処処理部１２０は、所定の条件に基づいて、最初から図１３（ｂ）に例示する表示画面を表示させてもよい。
【０１１３】
その後、図１３（ｂ）に例示するように、表示処理部１２０は、図１３（ａ）の安否確認画面を表示してから所定時間が経過しても安否確認の回答がない場合、安否確認に対して否定的な回答を行うための第２アイコン４２を、肯定的な回答を行うための第１アイコン４１よりも大きく表示させる。
【０１１４】
さらに、図１３（ｃ）に例示するように、情報処理端末１０は、図１３（ａ）の安否確認画面を表示してからさらに所定時間が経過しても安否確認の回答がない場合、音声による安否確認を実行する。具体的には、情報処理端末１０の検知部１０４のマイクから、例えば、「安全ですか？  ＡＲＥ  ＹＯＵ  ＳＡＦＥ？」という音声を出力する。その後、情報処理端末１０の検知部１０４のスピーカにより、音声による安否確認の回答を受け付ける。なお、検知部１０４のマイクから出力する音声は、音声による安否確認が可能であれば、どのような内容であってもよい。
【０１１５】
所定の時間は、例えば、５分や１０分など、どのような時間であってもよい。また、図１３（ａ）に例示する表示画面から、図１３（ｂ）に例示する表示画面に遷移する場合の経過時間である第１の所定の時間と、図１３（ｂ）に例示する表示画面から、図１３（ｃ）のように音声による安否確認に遷移する場合の経過時間である第２所定の時間とは、異なるものであってもよい。表示処理部１２０は、例えば、図１３（ａ）に例示する表示画面を表示してから１０分経過後に、図１３（ｂ）に例示する表示画面に遷移し、その後、さらに５分経過後に、図１３（ｃ）のように音声による安否確認に遷移してもよい。
【０１１６】
このように、情報処理端末１０は、安否確認画面を表示してから所定の時間を経過したことに基づいて音声による安否確認を実行するため、情報処理端末１０のユーザが入出力部１０２への入力による安否回答が困難な場合であっても、安否回答を受け付けることができる。そのため、情報処理端末１０のユーザは、災害などの所定のイベントが発生した場合において、倒れてきた物の下敷きになっているなど何らかの事情で入出力部１０２への入力による安否回答がでなくても、音声により、安否確認を実行することができるようになる。なお、音声による回答は、救急要否確認においても実行することができる。この場合において、情報処理端末１０は、音声による安否確認を行った場合には、引き続き、音声による救急要否確認を実行する。
【０１１７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。また、上記実施の形態に示す構成を適宜組み合わせることとしてもよい。
【符号の説明】
【０１１８】
１  通信システム
１０  情報処理端末
２０  制御システム
２１  制御装置
２２  ＤＢ
３０  ネットワーク
１００  制御部
１０１  通信部
１０２  入出力部
１０３  表示部
１０４  検知部
１０５  カメラ部
１０６  ＧＰＳ部
１０７  測定部
１０８  ＵＳＩＭ
１０９  記憶部
１１０  受信部
１２０  表示処理部
１３０  送信部
２００  制御部
２０１  通信部
２０２  入出力部
２０３  表示部
２０４  記憶部
２１０  受信処理部
２１１  送信処理部
【図１】
2019008604.tif 000003
【図２】
2019008604.tif 000004
【図３】
2019008604.tif 000005
【図４】
2019008604.tif 000006
【図５】
2019008604.tif 000007
【図６】
2019008604.tif 000008
【図７】
2019008604.tif 000009
【図８】
2019008604.tif 000010
【図９】
2019008604.tif 000011
【図１０】
2019008604.tif 000012
【図１１】
2019008604.tif 000013
【図１２】
2019008604.tif 000014
【図１３】
2019008604.tif 000015